Podtech/llm-jp-corpus-v4-ja_patent huggingface dataset:
(57)【要約】【課題】  近年、温度調整効果のある繊維製品や脱臭抗菌効果のある機能繊維製品が注目されている。しかし、効果やその持続性が明確でないものも多く、価格も高いものが多い。【解決手段】  本発明は、３２〜３８テラヘルツの共鳴電磁波を転写放射することで、安定し、持続性の高い温度調整効果や健康促進効果や疼痛緩和効果のある機能繊維製品を、安価で提供する。【選択図】図１
2015200044.tif 000002
【特許請求の範囲】
【請求項１】
特定の周波数の共鳴電磁波を照射することで自らが当該電磁波の転写発振体となることを特徴とする機能繊維製品。
【請求項２】
請求項１に記載の特定の周波数は、３２〜３８テラヘルツであることを特徴とする機能繊維製品。
【発明の詳細な説明】
【技術分野】
【０００１】  本発明は、３２〜３８テラヘルツの共鳴電磁波の転写発振体とすることで、着衣するだけで夏涼しく冬暖かいという温度調節機能や疼痛緩和機能や血流改善機能のある機能繊維製品を提供する。
【背景技術】
【０００２】  近年、繊維に空気層を形成させ断熱効果を得たり水分の発熱効果を利用した冬暖かい機能繊維製品が開発されているが、機能が限定されていて全季節に対応できないという問題があった。【０００３】  遠赤外線を放射する鉱石やセラミックの粉末を練りこんだ機能繊維製品も数多く開発されているが、利用している鉱石やセラミックによっては、効果の安定性や均一性や耐久性に問題があった。【０００４】  また一方で、生命体のＤＮＡ二重螺旋構造、超伝導エネルギーギャップ、固体中の電子の散乱等の重要な現象に深い関係を持っているとされている１００ギガヘルツから１００テラヘルツの共鳴電磁波を利用した各種製品や装置が提案され始めているが、使用している周波数が限定されず、効果が明確でないものが多い。
【特許文献１】特開２０１１−２１４２０４
【特許文献２】登録実用新案第３１１００４７号
【発明の概要】
【発明が解決しようとする課題】
【０００５】  近年、空気層のある繊維で断熱効果や保温性の高い繊維製品が開発されているが、洗濯を繰り返す等で繊維自体の劣化が進み機能が低下するという問題があった。【０００６】  また、遠赤外線を放出する疼痛緩和効果や運動機能性に優れた機能繊維製品も開発されているが、遠赤外線の周波数が明確でないものが多く、効果も安定せず、価格も高いものが多いことが、広く普及するための問題であった。
【課題を解決するための手段】
【０００７】  このような課題を解決するために本発明者は、３２〜３８テラヘルツの共鳴電磁波が、水素結合を分断したり、電子の散乱運動を円滑にすることができることに着目した。【０００８】  すなわち、３２〜３８テラヘルツの共鳴電磁波を、２〜１２時間、２０℃〜９０℃の温度条件下で、繊維製品に照射することで、当該繊維製品を当該共鳴電磁波の転写放射体とする。【０００９】  繊維製品を共鳴電磁波の転写放射体とすることで、共鳴電磁波を放射するセラミックや金属の粉末を含ませた繊維よりも安定性や耐久性が増し、当該粉末の剥離により効力を減じるという問題を解決できる。【００１０】  また、繊維製品から放射される共鳴電磁波の周波数を３２〜３８テラヘルツと限定することで、周波数によって効果が明確にできないという問題点を解決できる。
【発明の効果】
【００１１】  本発明によれば、効果が明確で持続性の高い３２〜３８テラヘルツの共鳴電磁波を放射する機能繊維製品を低コストで、大量に提供できる。【００１２】  また、本発明による機能繊維製品は、着衣する人体に、３２〜３８テラヘルツの共鳴電磁波を放射し、内側からの熱は内側へ返し、外側からの熱は外側へ返すことで、冬暖かく夏涼しいという温度調整機能を発揮する。【００１３】  また、当該共鳴電磁波は、当該機能繊維製品を着衣する人体の水素結合を共振励起し、当該水素結合を分離する。そして当該水素結合から放出された電子が高速で移動し、他の原子や分子と衝突することにより、衝突エネルギーが発生し、基礎体温を高め、免疫力を改善する。【００１４】  また、当該共鳴電磁波は、当該機能繊維製品を着衣する人体の血液の水素結合を共振励起し、浄化することによって、酸素や栄養を有効に体内の各細胞に運ぶことができ、健康を促進する。【００１５】  また、当該共鳴電磁波は、当該機能繊維製品を着衣する人体の筋肉細胞やその他の疲労蓄積等で硬化した細胞の水素結合を共振励起し、柔軟にすることで、血管や神経の圧迫を軽減し、疼痛を緩和する。【００１６】  また、当該共鳴電磁波は、当該機能繊維製品を着衣する人体の余分な体脂肪の水素結合を分断し低分子量化することで燃焼しやすくし、痩身効果を発揮する。
【発明を実施するための形態】
【００１７】  以下、本発明の実施形態について図面を参照しながら詳細に説明する。
図１は、本発明の機能繊維製品の作用概念を示す人体の断面図である。
【００１８】  図１に示すように、本発明の共鳴電磁波の転写体である機能繊維製品２から、人体１に共鳴電磁波６が放射される。
【００１９】  人体１には、血液や細胞組織に含まれる水があり水素結合で水分子クラスター３を形成している。当該水分子クラスター３の水素結合は、機能繊維製品２から放射される共鳴電磁波６により共振励起され、当該水素結合が分断され、電子４が放出される。
【００２０】  水素結合の分断により放出された電子４は高速で動き、周辺の分子や原子に衝突し、衝突エネルギー発生させ、当該機能繊維製品２を着衣する人体１の基礎体温を高め、血流をを改善し、免疫力を向上させる。
【００２１】  また、当該共鳴電磁波６は、当該機能繊維製品２を着衣する人体１の筋肉細胞やその他の疲労蓄積等で硬化した細胞の水素結合を共振励起し、柔軟にすることで、血管や神経の圧迫を軽減し、疼痛を緩和する。
【００２２】  また、当該共鳴電磁波６は、当該機能繊維製品２を着衣する人体１の余分な体脂肪の水素結合を分断し低分子量化することで燃焼しやすくし、痩身効果を発揮する。
【００２３】  さらに、当該共鳴電磁波６は、当該機能繊維製品２を着衣する人体１の神経電子５の伝達を円滑にする。
【実施例】
【００２４】  数多くの人たちの試着テストを通して下記の効果が確認されている。
＊温度調節効果  ：冬暖かく、夏涼しい繊維製品。
＊健康効果      ：身に着けると血液がサラサラになり、免疫力が増加する。
＊疼痛緩和      ：肩こり、腰痛、神経痛、打撲等の痛みを緩和する。
＊痩身効果      ：体内の余分な脂肪分を燃焼する。
＊消臭効果      ：汗の臭いや体臭・加齢臭を消臭する。
＊洗濯効果      ：汚れが着きにくく、落ちやすいだけでなく、一緒に選択する衣類の                    汚れも落ちやすくなり、洗剤使用量を減らすことができる。
【産業上の利用可能な分野】
【００２５】  本発明は、衣服ばかりでなく、床ずれ防止や快眠用のベッドシーツや毛布、あるいは乳がん防止ブラジャーやサポーター等の医療健康分野でも利用できる。
【図面の簡単な説明】
【００２６】
【図１】は、本発明の機能繊維製品の作用概念を示す人体の断面図である。
【符号の説明】
【００２７】  １    人体
２    機能繊維製品
３    水分子クラスター
４    電子
５    神経電子
６    共鳴電磁波
【図１】
2015200044.tif 000003